(57)【特許請求の範囲】
【請求項１】
プロセス制御機器からプロセスデータを収集すると共に前記プロセス制御機器を制御する制御コントローラと、この制御コントローラを通じて制御対象となる前記プロセス制御機器の状態を監視する第１の監視装置と、前記制御コントローラを通じて前記第１の監視装置の状態を監視する第２の監視装置とを有するプラント監視システムであって、
前記第１の監視装置は、
前記制御コントローラを通じて収集したプロセスデータに基づいて前記制御対象の状態を判断し、前記制御対象に異常事態が発生したと判断した場合には前記制御対象の警報発生を告知する電子メールを作成し、前記制御対象の異常事態が回復したと判断した場合には前記制御対象の警報回復を告知する電子メールを作成するプロセス警報処理手段と、
このプロセス警報処理手段が作成した電子メールを所定のクライアント装置宛てに送信する第１の電子メール送信手段と、
自装置の状態を一定時間毎に確認し、自装置の動作が正常な場合には動作状態フラグ書込コマンドを前記制御コントローラに送信するデータ書込手段とを備え、
前記第２の監視装置は、
前記制御コントローラを通じて収集した前記第１の監視装置の動作状態のデータに基づいて前記第１の監視装置の状態を判断し、前記第１の監視装置に異常事態が発生したと判断した場合には前記第１の監視装置の警報発生を告知する電子メールを作成し、前記第１の監視装置の異常事態が回復したと判断した場合には前記第１の監視装置の警報回復を告知する電子メールを作成する監視装置異常処理手段と、
この監視装置異常処理手段が作成した電子メールを前記クライアント装置宛てに送信する第２の電子メール送信手段とを備え、
前記制御コントローラは、
前記第１の監視装置に異常事態が発生しているか否かを示す異常フラグを前記動作状態のデータとして記憶する記憶手段と、
前記第１の監視装置から動作状態フラグ書込コマンドを受信した場合には前記異常フラグをリセットし、設定時間内に前記動作状態フラグ書込コマンドを受信しない場合には前記異常フラグをセットする監視装置動作確認手段とを備えることを特徴とするプラント監視システム。
【発明の詳細な説明】
【０００１】
【発明の属する技術分野】
本発明は、警報の発生等を電子メールにより遠隔地のクライアント装置に送信するプラント監視システムに関するものである。
【０００２】
【従来の技術】
従来、プラント監視システムにおいて、プラントの運転中に発生した異常な温度上昇やガス漏洩などの警報を、遠隔地にいる担当者や保守員に通報するには、モデムを介した電話回線を利用していた。また、近年、ＩＴ（Information Technology）の進歩により、電子メールを利用した遠隔保守システムが提案されている（例えば、特開平１０−５５２９１号公報）。
【０００３】
【発明が解決しようとする課題】
従来、遠隔地に設けられたクライアント装置の利用者は、電子メールを受信することで、警報の発生等の変化を認識することができ、電子メールを受信しない場合はプラント運転において警報の発生や回復などの変化がないことを認識する。例えば、プラント設備に異常が発生したときに電子メールを送信するプラント監視システムにおいて、クライアント装置の利用者は、電子メールを受信しない限り、プラント設備に異常が発生していないと判断することができる。
【０００４】
しかしながら、プラント監視装置の電子メールを送信する機能に不具合が発生した場合、クライアント装置側では、監視対象に異常が発生していないために通知がないのか、あるいはプラント監視装置の電子メールを送信する機能に不具合があるために通知がないのかを区別することができない。その結果、監視対象の異常と監視装置の異常とが同時に発生していると、監視対象に異常が発生しているにもかかわらず、異常発生を認識できないという問題点があった。このような問題点は、プラント監視に限らず、電子メールを利用して遠隔監視を行う他の監視システムでも同様に発生する。
本発明は、警報の発生等を電子メールにより遠隔地のクライアント装置に送信するシステムにおいて、電子メールの送信機能の信頼性を向上させることを目的とする。
【０００５】
【課題を解決するための手段】
本発明は、プロセス制御機器からプロセスデータを収集すると共に前記プロセス制御機器を制御する制御コントローラと、この制御コントローラを通じて制御対象となる前記プロセス制御機器の状態を監視する第１の監視装置と、前記制御コントローラを通じて前記第１の監視装置の状態を監視する第２の監視装置とを有するプラント監視システムであって、前記第１の監視装置は、前記制御コントローラを通じて収集したプロセスデータに基づいて前記制御対象の状態を判断し、前記制御対象に異常事態が発生したと判断した場合には前記制御対象の警報発生を告知する電子メールを作成し、前記制御対象の異常事態が回復したと判断した場合には前記制御対象の警報回復を告知する電子メールを作成するプロセス警報処理手段と、このプロセス警報処理手段が作成した電子メールを所定のクライアント装置宛てに送信する第１の電子メール送信手段と、自装置の状態を一定時間毎に確認し、自装置の動作が正常な場合には動作状態フラグ書込コマンドを前記制御コントローラに送信するデータ書込手段とを備え、前記第２の監視装置は、前記制御コントローラを通じて収集した前記第１の監視装置の動作状態のデータに基づいて前記第１の監視装置の状態を判断し、前記第１の監視装置に異常事態が発生したと判断した場合には前記第１の監視装置の警報発生を告知する電子メールを作成し、前記第１の監視装置の異常事態が回復したと判断した場合には前記第１の監視装置の警報回復を告知する電子メールを作成する監視装置異常処理手段と、この監視装置異常処理手段が作成した電子メールを前記クライアント装置宛てに送信する第２の電子メール送信手段とを備え、前記制御コントローラは、前記第１の監視装置に異常事態が発生しているか否かを示す異常フラグを前記動作状態のデータとして記憶する記憶手段と、前記第１の監視装置から動作状態フラグ書込コマンドを受信した場合には前記異常フラグをリセットし、設定時間内に前記動作状態フラグ書込コマンドを受信しない場合には前記異常フラグをセットする監視装置動作確認手段とを備えるものである。
【０００７】
【発明の実施の形態】
以下、本発明の実施の形態について図面を参照して詳細に説明する。図１は本発明の実施の形態となる通信システムの構成を示すブロック図である。本実施の形態の通信システムは、プラント監視システムを構成しており、制御対象の状態を所定のクライアント装置に通知するものである。
【０００８】
図１において、１は調節弁や電磁流量計、各種センサーなどのプロセス制御機器である。制御コントローラ２は、プロセス制御機器１からプロセスデータを収集し、予め設定された制御プログラムに従って制御対象を制御する。また、制御コントローラ２は、監視装置の動作状態を監視するプログラムに従って、監視装置３−１及び監視装置３−２の動作状態を監視する。
【０００９】
監視装置３−１は、制御コントローラ２を通じてプロセスデータを収集し、ディスプレイ装置（不図示）の画面上に制御対象の運転状態や警報の発生の有無等を表示する。また、監視装置３−１は、収集したプロセスデータに基づいて制御対象に異常事態が発生したか否か、制御対象の異常事態が回復したか否かを判断し、異常事態が発生したと判断したときには警報発生を告知する電子メールを、また異常事態が回復したと判断したときには警報回復を告知する電子メールを所定のクライアント装置５宛てにメールサーバ４を介して送信する。
【００１０】
さらに、監視装置３−１は、制御コントローラ２を通じて監視装置３−２の動作状態のデータを収集し、収集したデータに基づいて監視装置３−２に異常事態が発生したか否か、監視装置３−２の異常事態が回復したか否かを判断する。監視装置３−１は、監視装置３−２に異常事態が発生したと判断したときには警報発生を告知する電子メールを、監視装置３−２の異常事態が回復したと判断したときには警報回復を告知する電子メールを所定のクライアント装置５宛てにメールサーバ４を介して送信する。
【００１１】
監視装置３−２は、監視装置３−１が正常に動作しているか否かを監視する装置である。監視装置３−２は、制御コントローラ２を通じて監視装置３−１の動作状態のデータを収集し、収集したデータに基づいて監視装置３−１に異常事態が発生したか否か、監視装置３−１の異常事態が回復したか否かを判断する。監視装置３−２は、監視装置３−１に異常事態が発生したと判断したときには警報発生を告知する電子メールを、監視装置３−１の異常事態が回復したと判断したときには警報回復を告知する電子メールを所定のクライアント装置５宛てにメールサーバ４を介して送信する。
【００１２】
メールサーバ４は、監視装置３−１又は監視装置３−２から送信される電子メールを格納する。
クライアント装置５は、据え置き型のコンピュータ端末装置、あるいはＰＤＡ（Personal Digital Assistants ）、ページャ（Pager ）、携帯電話機等の携帯型端末装置であり、メールサーバ４にアクセスして、自装置宛のメールを読み出す。
【００１３】
６は制御コントローラ２と監視装置３−１，３−２とを接続する制御系ネットワーク（ローカルエリアネットワーク）、７は監視装置３−１，３−２とメールサーバ４とを接続する情報系ネットワーク（ローカルエリアネットワーク）、８はメールサーバ４とクライアント装置５とを接続するインターネット等のネットワークである。
【００１４】
以下、各構成の動作をより詳細に説明する。まず、制御コントローラ２の動作について説明する。プロセスデータ収集手段２１は、予め設定された制御プログラムに従って、プロセス制御機器１からプロセスデータを収集し、収集したプロセスデータを記憶手段２５に格納する。制御手段２２は、制御プログラムに従って動作し、プロセスデータ収集手段２１によって収集されたプロセスデータに基づきプロセス制御機器１に指令を出すことにより、制御対象の制御を行う。
【００１５】
監視装置動作確認手段２３は、監視装置３−１の動作を確認する第１の動作確認手段（不図示）と、監視装置３−２の動作を確認する第２の動作確認手段（不図示）とを有している。図２は第１の動作確認手段の動作を示すフローチャート図である。
【００１６】
第１の動作確認手段は、時間計測用のタイマーを有しており、最初にこのタイマーをスタートさせて時間計測を開始する（ステップ１０１）。次に、第１の動作確認手段は、通信手段２４を通じて監視装置３−１から動作状態フラグ書込コマンドを受信したか否かを判断する（ステップ１０２）。監視装置３−１から動作状態フラグ書込コマンドを受信した場合、第１の動作確認手段は、記憶手段２５の第１の動作状態フラグを「１」にセットする（ステップ１０３）。
【００１７】
続いて、第１の動作確認手段は、記憶手段２５の第１の動作状態フラグの値を調べ（ステップ１０４）、第１の動作状態フラグが「１」である場合は、この第１の動作状態フラグを「０」にリセットして（ステップ１０５）、記憶手段２５の第１の異常フラグを「０」にリセットし（ステップ１０６）、タイマーをリセットする（ステップ１０７）。
【００１８】
また、ステップ１０４において第１の動作状態フラグが「０」である場合、第１の動作確認手段は、タイマーで計測中の時間が予め定められた設定時間を超えたかどうかを判断する（ステップ１０８）。設定時間を超えていない場合、第１の動作確認手段は、ステップ１０２に戻る。ステップ１０８において設定時間を超えている場合、第１の動作確認手段は、タイムアウトと判断して、記憶手段２５の第１の異常フラグを「１」にセットする（ステップ１０９）。
動作停止（ステップ１１０においてＹＥＳ）するまで、以上のようなステップ１０２〜１０９の処理が前記設定時間より短い所定時間毎に繰り返し行われる。
【００１９】
なお、第１の異常フラグを「１」にセットした後に、監視装置３−１から動作状態フラグ書込コマンドを受信した場合（監視装置３−１の異常事態が回復した場合）、前述のステップ１０２〜１０７の動作により、第１の異常フラグが「０」にリセットされる。
【００２０】
図３は監視装置動作確認手段２３の第２の動作確認手段の動作を示すフローチャート図である。第２の動作確認手段は、時間計測用のタイマーを有しており、最初にこのタイマーをスタートさせて時間計測を開始する（ステップ２０１）。次に、第２の動作確認手段は、通信手段２４を通じて監視装置３−２から動作状態フラグ書込コマンドを受信したか否かを判断する（ステップ２０２）。監視装置３−２から動作状態フラグ書込コマンドを受信した場合、第２の動作確認手段は、記憶手段２５の第２の動作状態フラグを「１」にセットする（ステップ２０３）。
【００２１】
続いて、第２の動作確認手段は、記憶手段２５の第２の動作状態フラグの値を調べ（ステップ２０４）、第２の動作状態フラグが「１」である場合は、この第２の動作状態フラグを「０」にリセットして（ステップ２０５）、記憶手段２５の第２の異常フラグを「０」にリセットし（ステップ２０６）、タイマーをリセットする（ステップ２０７）。
【００２２】
また、ステップ１０４において第２の動作状態フラグが「０」である場合、第２の動作確認手段は、タイマーで計測中の時間が予め定められた設定時間を超えたかどうかを判断する（ステップ２０８）。設定時間を超えていない場合、第２の動作確認手段は、ステップ２０２に戻る。ステップ２０８において設定時間を超えている場合、第２の動作確認手段は、タイムアウトと判断して、記憶手段２５の第２の異常フラグを「１」にセットする（ステップ２０９）。
動作停止（ステップ２１０においてＹＥＳ）するまで、以上のようなステップ２０２〜２０９の処理が前記設定時間より短い所定時間毎に繰り返し行われる。
【００２３】
なお、第２の異常フラグを「１」にセットした後に、監視装置３−２から動作状態フラグ書込コマンドを受信した場合（監視装置３−２の異常事態が回復した場合）、前述のステップ２０２〜２０７の動作により、第２の異常フラグが「０」にリセットされる。
【００２４】
図４は監視装置動作確認手段２３の動作を示すタイミングチャート図である。ただし、図４では、第１の動作確認手段又は第２の動作確認手段の何れか一方のみを示すものとする。監視装置３−１，３−２から一定時間毎に送られてくる動作状態フラグ書込コマンドに応じて、監視装置動作確認手段２３は、内部のタイマーのカウントをリセットして再びカウントを開始するが、動作状態フラグ書込コマンドの送信が停止すると、タイマーカウントが進んで設定値に達する。このタイムアウトにより、監視装置動作確認手段２３は、異常フラグを「１」にセットする。
【００２５】
以上のように、監視装置動作確認手段２３の第１、第２の動作確認手段は、監視装置３−１，３−２からの動作状態フラグ書込コマンドを設定時間内に受信しない場合、監視装置３−１，３−２が電子メールを送信することができない状態にあるとみなして、第１、第２の異常フラグをセットする。
【００２６】
次に、通信手段２４は、監視装置３−１から送信されたプロセスデータ読出コマンド、第２の異常フラグ読出コマンド及び第１の動作状態フラグ書込コマンドを制御系ネットワーク６を介して受信し、また監視装置３−２から送信された第１の異常フラグ読出コマンド及び第２の動作状態フラグ書込コマンドを制御系ネットワーク６を介して受信する。
【００２７】
通信手段２４は、プロセスデータ読出コマンドを受信すると、要求されたプロセスデータを記憶手段２５から読み出して、要求元の監視装置３−１に送信する。また、通信手段２４は、第２の異常フラグ読出コマンドを受信すると、要求された第２の異常フラグを記憶手段２５から読み出して、要求元の監視装置３−１に送信し、第１の異常フラグ読出コマンドを受信すると、要求された第１の異常フラグを記憶手段２５から読み出して、要求元の監視装置３−２に送信する。
【００２８】
さらに、通信手段２４は、第１、第２の動作状態フラグ書込コマンドを正常に受信した場合、正常受信のレスポンスを送信元の監視装置３−１，３−２へ返送し、第１、第２の動作状態フラグ書込コマンドを受信したことを監視装置動作確認手段２３に通知する。
【００２９】
記憶手段２５は、プロセスデータ収集手段２１によって収集されたプロセスデータを記憶すると共に、監視装置３−１から動作状態フラグ書込コマンドを受信したか否かを示す第１の動作状態フラグ、監視装置３−２から動作状態フラグ書込コマンドを受信したか否かを示す第２の動作状態フラグ、監視装置３−１に異常事態が発生しているか否かを示す第１の異常フラグ、及び監視装置３−２に異常事態が発生しているか否かを示す第２の異常フラグを記憶している。
【００３０】
第１、第２の動作状態フラグは、監視装置３−１，３−２から動作状態フラグ書込コマンドを受信したとき「１」となる。また、第１、第２の異常フラグは、監視装置３−１，３−２に異常事態が発生しているときに「１」となる。
【００３１】
次に、監視装置３−１の動作について説明する。データ収集手段３１−１は、制御コントローラ２に対してプロセスデータの読み出しを要求するプロセスデータ読出コマンド、及び制御コントローラ２に対して第２の異常フラグの読み出しを要求する第２の異常フラグ読出コマンドを送信する。
【００３２】
データ収集手段３１−１は、プロセスデータ読出コマンドに対する制御コントローラ２のレスポンス、すなわちプロセスデータを制御系ネットワーク６を介して受信し、記憶手段３７−１に格納する。また、データ収集手段３１−１は、第２の異常フラグ読出コマンドに対する制御コントローラ２のレスポンス、すなわち第２の異常フラグを制御系ネットワーク６を介して受信し、記憶手段３７−１に格納する。
【００３３】
データ書込手段３２−１は、後述する警報処理手段３３−１の指示に従って、第１の動作状態フラグ書込コマンドを制御コントローラ２に送信する。また、データ書込手段３２−１は、第１の動作状態フラグ書込コマンドを正常に受信したことを示す制御コントローラ２からのレスポンスを受信する。
【００３４】
警報処理手段３３−１は、プロセス警報処理手段３４−１と、監視装置異常処理手段３５−１とを有する。プロセス警報処理手段３４−１は、データ収集手段３１−１によって収集され記憶手段３７−１に格納されたプロセスデータに基づいて、制御対象に異常事態が発生したか否か、制御対象の異常事態が回復したか否かを判断する。
【００３５】
プロセス警報処理手段３４−１は、あるプロセスデータの上限値超過等により制御対象に異常事態が発生したと判断した場合、クライアント装置５に制御対象の警報発生を告知すべく、警報発生時刻、警報タグ、警報名称及び警報データの各情報を含む電子メールを作成して、作成した電子メールを電子メール送信手段３６−１に渡す。
【００３６】
また、プロセス警報処理手段３４−１は、異常値を示したプロセスデータが許容範囲内に復帰したこと等により、制御対象の異常事態が回復したと判断した場合、クライアント装置５に制御対象の警報回復を告知すべく、警報回復時刻、警報タグ、警報名称及び警報データの各情報を含む電子メールを作成して、作成した電子メールを電子メール送信手段３６−１に渡す。
【００３７】
監視装置異常処理手段３５−１は、データ収集手段３１−１によって収集され記憶手段３７−１に格納された第２の異常フラグに基づいて、監視装置３−２に異常事態が発生したか否か、監視装置３−２の異常事態が回復したか否かを判断する。
【００３８】
監視装置異常処理手段３５−１は、第２の異常フラグが「１」の場合、監視装置３−２に異常事態が発生し電子メール送信不可の状態にあると判断して、クライアント装置５に監視装置３−２の警報発生を告知すべく、警報発生時刻、警報タグ、警報名称及び警報データの各情報を含む電子メールを作成して、作成した電子メールを電子メール送信手段３６−１に渡す。
【００３９】
また、監視装置異常処理手段３５−１は、「１」を示していた第２の異常フラグが「０」になった場合、監視装置３−２の異常事態が回復したと判断して、クライアント装置５に監視装置３−２の警報回復を告知すべく、警報回復時刻、警報タグ、警報名称及び警報データの各情報を含む電子メールを作成して、作成した電子メールを電子メール送信手段３６−１に渡す。
【００４０】
さらに、監視装置異常処理手段３５−１は、監視装置３−１の動作状態を確認し、動作状態が正常である場合、制御コントローラ２を介して監視装置３−２に動作が正常であることを通知すべく、データ書込手段３２−１に対して第１の動作状態フラグ書込コマンドの送信を指示する。この指示に応じて、データ書込手段３２−１は、第１の動作状態フラグ書込コマンドを制御コントローラ２に送信する。このような動作状態の確認と第１の動作状態フラグ書込コマンドの送信指示とが、監視装置動作確認手段２３の前記設定時間よりも短い一定時間毎に繰り返し行われる。
【００４１】
電子メール送信手段３６−１は、警報処理手段３３−１によって作成された電子メールを予め定められたクライアント装置５宛てにメールサーバ４を介して送信する。
【００４２】
次に、監視装置３−２の動作について説明する。警報処理手段３３−２にプロセス警報処理手段が存在しないのは、監視装置３−２が監視装置３−１を監視する目的で設けられた専用装置だからである。
【００４３】
データ収集手段３１−２は、制御コントローラ２に対して第１の異常フラグの読み出しを要求する第１の異常フラグ読出コマンドを送信する。また、データ収集手段３１−２は、第１の異常フラグ読出コマンドに対する制御コントローラ２のレスポンス、すなわち第１の異常フラグを制御系ネットワーク６を介して受信し、記憶手段３７−２に格納する。
【００４４】
データ書込手段３２−２は、後述する警報処理手段３３−２の指示に従って、第２の動作状態フラグ書込コマンドを制御コントローラ２に送信する。また、データ書込手段３２−２は、第２の動作状態フラグ書込コマンドを正常に受信したことを示す制御コントローラ２からのレスポンスを受信する。
【００４５】
警報処理手段３３−２の監視装置異常処理手段３５−２は、データ収集手段３１−２によって収集され記憶手段３７−２に格納された第１の異常フラグに基づいて、監視装置３−１に異常事態が発生したか否か、監視装置３−１の異常事態が回復したか否かを判断する。
【００４６】
監視装置異常処理手段３５−２は、第１の異常フラグが「１」の場合、監視装置３−１に異常事態が発生し電子メール送信不可の状態にあると判断して、クライアント装置５に監視装置３−１の警報発生を告知すべく、警報発生時刻、警報タグ、警報名称及び警報データの各情報を含む電子メールを作成して、作成した電子メールを電子メール送信手段３６−２に渡す。
【００４７】
また、監視装置異常処理手段３５−２は、「１」を示していた第１の異常フラグが「０」になった場合、監視装置３−１の異常事態が回復したと判断して、クライアント装置５に監視装置３−１の警報回復を告知すべく、警報回復時刻、警報タグ、警報名称及び警報データの各情報を含む電子メールを作成して、作成した電子メールを電子メール送信手段３６−２に渡す。
【００４８】
さらに、監視装置異常処理手段３５−２は、監視装置３−２の動作状態を確認し、動作状態が正常である場合、制御コントローラ２を介して監視装置３−１に動作が正常であることを通知すべく、データ書込手段３２−２に対して第２の動作状態フラグ書込コマンドの送信を指示する。この指示に応じて、データ書込手段３２−２は、第２の動作状態フラグ書込コマンドを制御コントローラ２に送信する。このような動作状態の確認と第２の動作状態フラグ書込コマンドの送信指示とが、前記設定時間よりも短い一定時間毎に繰り返し行われる。
【００４９】
電子メール送信手段３６−２は、警報処理手段３３−２によって作成された電子メールを予め定められたクライアント装置５宛てにメールサーバ４を介して送信する。
【００５０】
次に、メールサーバ４は、監視装置３−１又は監視装置３−２から送信される電子メールを格納する。
通信システム（プラント監視システム）の保守員は、クライアント装置５を操作して、インターネット等のネットワーク８を通じてメールサーバ４にアクセスし、自装置宛のメールを読み出す。こうして、保守員は、制御対象の警報発生／回復、監視装置３−１，３−２の警報発生／回復の通知を遠隔地で受け取ることができる。
【００５１】
なお、本実施の形態では、監視装置３−２は、監視装置３−１の監視を目的とする専用装置として設けられているが、これに限るものではなく、監視装置３−１と同様にプロセスデータを収集して制御対象を監視し、制御対象の警報発生／警報回復を通知する機能を備えていてもよく、また監視装置３−１には備えられていない他の機能（他の制御対象のプロセスデータを収集する機能、収集データの実績を管理する機能等）を備えていてもよい。
【００５２】
また、本実施の形態では、制御コントローラ２が監視装置３−１及び監視装置３−２の動作状態を監視しているが、監視装置３−１が監視装置３−２の動作状態を直接監視すると共に監視装置３−２が監視装置３−１の動作状態を直接監視してもよい。具体的には、一方の監視装置の監視装置異常処理手段が他方の監視装置に対して動作状態フラグ書込コマンドを定期的に送信し、他方の監視装置の監視装置異常処理手段は、動作状態フラグ書込コマンドを設定時間内に受信しない場合、一方の監視装置に異常事態が発生したと判断して、クライアント装置５に電子メールを送信するようにすればよい。
【００５３】
【発明の効果】
本発明によれば、電子メールを送信する機能を備えた第１の通信装置の動作状態を、電子メールを送信する機能を備えた第２の通信装置で監視し、第１の通信装置に異常事態が発生した場合には、警報発生を告知する電子メールを第２の通信装置から所定のクライアント装置宛てに送信することにより、クライアント装置の利用者（例えばプラント監視システムの保守員）は、第１の通信装置に異常事態が発生したことを認識できる。これにより、利用者は、第１の通信装置が単に電子メールを送信していないのか、あるいは第１の通信装置に異常が発生したために電子メールを送信できないのかを区別することができ、第１の通信装置の電子メール送信機能に対する利用者の信頼感が向上する。
【００５４】
また、第１の通信装置の異常事態が回復した場合には、警報回復を告知する電子メールを第２の通信装置からクライアント装置宛てに送信することにより、クライアント装置の利用者は、第１の通信装置の機能が回復したことを認識できる。
【００５５】
また、第２の通信装置の動作状態を第１の通信装置で監視し、第２の通信装置に異常事態が発生した場合には、警報発生を告知する電子メールを第１の通信装置からクライアント装置宛てに送信することにより、クライアント装置の利用者は、第１の通信装置よりも先に第２の通信装置に異常事態が発生したことを認識できる。
【００５６】
また、第２の通信装置の異常事態が回復した場合には、警報回復を告知する電子メールを第１の通信装置からクライアント装置宛てに送信することにより、クライアント装置の利用者は、第２の通信装置の機能が回復したことを認識できる。
【図面の簡単な説明】
【図１】  本発明の実施の形態となる通信システムの構成を示すブロック図である。
【図２】  本発明の実施の形態における監視装置動作確認手段の第１の動作確認手段の動作を示すフローチャート図である。
【図３】  本発明の実施の形態における監視装置動作確認手段の第２の動作確認手段の動作を示すフローチャート図である。
【図４】  本発明の実施の形態における監視装置動作確認手段の動作を示すタイミングチャート図である。
【符号の説明】
１…プロセス制御機器、２…制御コントローラ、３−１、３−２…監視装置、４…メールサーバ、５…クライアント装置、６…制御系ネットワーク、７…情報系ネットワーク、８…ネットワーク、２１…プロセスデータ収集手段、２２…制御手段、２３…監視装置動作確認手段、２４…通信手段、２５…記憶手段、３１−１、３１−２…データ収集手段、３２−１、３２−２…データ書込手段、３３−１、３３−２…警報処理手段、３４−１…プロセス警報処理手段、３５−１、３５−２…監視装置異常処理手段、３６−１、３６−２…電子メール送信手段、３７−１、３７−２…記憶手段。
【図１】
0003751852.tif 000002
【図２】
0003751852.tif 000003
【図３】
0003751852.tif 000004
【図４】
0003751852.tif 000005